(57)【要約】  本発明は、電力を生成するため流動水（ｗ）中に設けるように配置された油圧機械式装置に関する。第１の入口導管（１）は、第１の水流を送るように配置される。第２の入口導管（２）は、第２の水流を送るように配置される。切換装置（３）は、入口導管の直ぐ下流に設けられる。水車（４）は、切換装置の下流に設けられる。切換装置は、第１の流れと第２の流れが交互に水車を駆動するように、第１の流れと第２の流れを交互順で水車に送るように配置される。【選択図】図１
2009543975.tif 000002
【特許請求の範囲】
【請求項１】
電力を生成するため流動水（ｗ）中に設けるように配置された油圧機械式装置であって、少なくとも、
第１の水流を送るように配置された第１の入口導管（１；１０１〜１０４）と、
第２の水流を送るように配置された第２の入口導管（２；１０１〜１０４）と、
前記入口導管（１、２；１０１〜１０４）の直ぐ下流に設けられた切換装置（３）と、
前記切換装置（３）の下流に設けられる水車（４）と、
を備え、
前記切換装置（３）は、前記第１の流れと前記第２の流れが交互に前記水車（４）を駆動するように、前記第１の流れと前記第２の流れを交互順で前記水車（４）に送るように配置されることを特徴とする油圧機械式装置。
【請求項２】
前記切換装置（３）が、前記第１の流れが前記水車（４）に送られる際に前記第２の流れを前記装置の外に送り、かつ、前記第２の流れが前記水車（４）に送られる際に前記第１の流れを前記油圧機械式装置の外に送るように配置される請求項１に記載の装置。
【請求項３】
前記切換装置（３）が、前記油圧機械式装置の外に送られる前記流れを前記流動水（ｗ）に直接戻すように配置される請求項１及び請求項２のいずれか１項に記載の装置。
【請求項４】
前記切換装置（３）が、
前記第１の入口導管（１）から前記水車（４）まで少なくとも第１の水車通路（１１）と、
前記第２の入口導管（２）から前記水車（４）まで少なくとも第２の水車通路（１２）と、
第１の位置と第２の位置を交互にとるように配置されるバルブ装置（１５）と、
を備え、
前記バルブ装置（１５）が、前記第１の位置では、前記第１の水車通路（１１）を開け、前記第２の水車通路（１２）を閉じたまま維持し、かつ、前記第２の位置では、前記第１の水車通路（１１）を閉じ、前記第２の水車通路（１２）を開けたまま維持する請求項１〜３のいずれか１項に記載の装置。
【請求項５】
各々の前記通路（１１、１２）が、共通面に配置された上流オリフィスを有し、前記バルブ装置（１５）が、前記第１の位置と前記第２の位置の間の共通面に平行に移動可能なバルブ部材（３５）を備える請求項４に記載の装置。
【請求項６】
前記切換装置（３）が、
前記第１の入口導管（１）から前記油圧機械式装置の外に少なくとも第１の出口通路（２１）と、
前記第２の入口導管（２）から前記油圧機械式装置の外に少なくとも第２の出口通路（２２）と、
をも備え、
前記バルブ装置（１５）が、前記第１の位置では、前記第１の水車通路（１１）と前記第２の出口通路（２２）を開け、前記第１の出口通路（２１）と前記第２の水車通路（１２）を閉じたまま維持し、かつ、前記第２の位置では、前記第１の水車通路（１１）と前記第２の出口通路（２２）を閉じ、前記第１の出口通路（２１）と前記第２の水車通路（１２）を開けたまま維持する請求項４に記載の装置。
【請求項７】
各々の前記通路（１１、１２、２１、２２）が、共通面に配置された上流オリフィスを有し、前記バルブ装置（１５）が、前記第１の位置と前記第２の位置の間の共通面に平行に移動可能なバルブ部材（３５）を備える請求項６に記載の装置。
【請求項８】
前記オリフィスが円形通路に沿って配置され、前記バルブ部材（３５）が前記円形通路に沿って移動可能である請求項７に記載の装置。
【請求項９】
前記バルブ装置（１５）が、前記バルブ部材（３５）を作動させるようになっているモータ部材（３６）を備える請求項７及び請求項８のいずれか１項に記載の装置。
【請求項１０】
前記モータ部材（３６）が、前記バルブ部材（３５）を回転させるようになっている請求項８及び請求項９に記載の装置。
【請求項１１】
前記切換装置（３）が水車入口導管（１１５）に連結された回転部（１０６）を備え、これは、前記入口導管（１０１〜１０４）の１つと位置合わせされる前記回転部（１０６）と一緒に軸（ｘ）の周りで回転可能であり、尚且つ、前記水車（４）に連結された下流端部を有する請求項１〜３のいずれか１項に記載の装置。
【請求項１２】
前記第１の入口導管及び前記第２の入口導管が、それぞれ、前記切換装置の直ぐ上流に設けられた第１の移行導管（４１）及び第２の移行導管（４２）を有する請求項１〜１１のいずれか１項に記載の装置。
【請求項１３】
前記入口導管（１、２；１０１〜１０４）が互いに略平行に延びている請求項１〜１２のいずれか１項に記載の装置。
【請求項１４】
前記油圧機械式装置が、前記入口導管（１、２；１０１〜１０４）に水を導入するようになっている入口部材（５０）を備える請求項１〜１３のいずれか１項に記載の装置。
【請求項１５】
前記入口導管（１、２、１０１〜１０４）が前記切換装置（３）の近傍で各上流端部及び各下流端部を有し、前記入口部材（５０）が前記入口導管（１、２；１０１〜１０４）の上流端部に設けられる請求項１４に記載の装置。
【請求項１６】
前記油圧機械式装置が、前記流動水から前記入口導管（１、２；１０１〜１０４）の少なくとも１つに水を導入するため前記上流端部の下流に配置された少なくとも１つの中間部材（５１；９０）を備える請求項１５に記載の装置。
【請求項１７】
前記装置が、前記中間部材（５１）から前記第１の入口導管（１）への通路を開閉する第１の入口バルブ部材（６１）と、前記中間部材（５１）から前記第２の入口導管（２）への通路を開閉する第２の入口バルブ部材（６２）とを備える請求項１６に記載の装置。
【請求項１８】
前記バルブ部材（６１、６２）が、各第１及び第２のバネ部材（７１、７２）により容易に開口される請求項１７に記載の装置。
【請求項１９】
前記バルブ部材（６１、６２）が、前記中間部材（５１）の上流位置と前記中間部材（５１）の下流位置で前記各導管を流れる水の差圧により容易に閉口される請求項１７及び請求項１８のいずれか１項に記載の装置。
【発明の詳細な説明】
【技術分野】
【０００１】
本発明は、請求項１の前提部分による、電力を生成するため流動水中に設けるように配置された油圧機械式装置に関する。
【背景技術】
【０００２】
日本国特許第５６０６０８６６号には、配管と配管の下流端部に設けられた水車とを備えた水力装置が開示されている。上流端部には、流れの速度を増加させる漏斗状部材がある。
【０００３】
日本国特開２００４−０６８６４１号公報には、いくつかの連続する水車を備えた水車装置が開示されている。
【０００４】
欧州特許第３８３２１号には、２つ以上の部分配管に分割される入口配管を有する水力装置が開示されている。部分配管は、共通水車に向かって収束している。
【０００５】
国際公開第９４／２０７５１号パンフレットには、２本の平行な配管を有する水力装置が開示されている。各配管の水に油圧衝撃を生成するために、配管は交互に閉鎖されるように配置されている。
【先行技術文献】
【特許文献】
【０００６】
【特許文献１】日本国特許第５６０６０８６６号
【特許文献２】日本国特開２００４−０６８６４１号公報
【特許文献３】欧州特許第３８３２１号
【特許文献４】国際公開第９４／２０７５１号パンフレット
【発明の概要】
【０００７】
本発明の目的は、電力を生成するようになっている改善された油圧機械式装置を提供することである。特に、流動水が比較的低い流速である場合に電力を生成するよう使用できる油圧機械式装置を目的とする。
【０００８】
上記の目的は、切換装置が、第１の流れと第２の流れが交互に水車を駆動するように、第１の流れと第２の流れを交互順に水車に送るように配置されていることを特徴とする、冒頭で定義した油圧機械式装置により達成される。このような切換装置により、運動エネルギーが最も高い流れを用いて水車を作動させることができる。そのようにして、水の運動エネルギーが最も高い入口導管の流れによって水車を常に作動させることができる。
【０００９】
本発明の実施形態によれば、切換装置は、第１の流れが水車に送られる際に第２の流れを油圧機械式装置の外に送り、かつ、第２の流れが水車に送られる際に第１の流れを油圧機械式装置の外に送るように配置される。そのようにして、油圧機械式装置の外に送られる流れは、この時間中に加速し、高運動エネルギーを得るのに対して、水車に送られる流れは、速度が減速する。切換装置により、比較的低速の流れから比較的高速の流れに切換えることができ、そのようにして、水の単一流れによってのみ駆動される水車と比べて水車の効率を向上させる。切換装置は、次いで、油圧機械式装置の外に送られる流れを流動水に直接戻すように配置してもよい。
【００１０】
本発明の別の実施形態によれば、切換装置は、第１の入口導管から水車まで少なくとも第１の水車通路と、第２の入口導管から水車まで少なくとも第２の水車通路と、第１の位置と第２の位置を交互にとるように配置されるバルブ装置とを備え、バルブ装置は、第１の位置では、第１の水車通路を開け、第２の水車通路を閉じたまま維持し、かつ、第２の位置では、第１の水車通路を閉じ、第２の水車通路を開けたまま維持する。各々の通路は、共通面に配置された上流オリフィスを有し、バルブ装置は、第１の位置と第２の位置の間の共通面に平行に移動可能なバルブ部材を備える。そのようにして、２つの位置の間で往復するバルブ部材を有するバルブ装置は、比較的容易な方法で達成される。
【００１１】
本発明の別の実施形態によれば、切換装置はまた、第１の入口導管から油圧機械式装置の外に少なくとも第１の出口通路と、第２の入口導管から油圧機械式装置の外に少なくとも第２の出口通路とを備え、バルブ装置は、第１の位置では、第１の水車通路と第２の出口通路を開け、第１の出口通路と第２の水車通路を閉じたまま維持し、且つ第２の位置では、第１の水車通路と第２の出口通路を閉じ、第１の出口通路と第２の水車通路を開けたまま維持する。
【００１２】
本発明の別の実施形態によれば、各々の通路は、共通面に配置された上流オリフィスを有し、バルブ装置は、第１の位置と第２の位置の間の共通面に平行に移動可能なバルブ部材を備える。オリフィスは、円形通路に沿って配置されていてもよく、バルブ部材は、円形通路に沿って移動可能である。さらに、バルブ装置は、バルブ部材を作動させるようになっているモータ部材を備えてもよい。特に、モータ部材は、バルブ部材を回転させるようになっていてもよい。
【００１３】
本発明の別の実施形態によれば、切換装置は、水車入口導管に連結された回転部を備え、入口導管の１つと位置合わせされる回転部と一緒に軸の周りで回転可能であり、尚且つ、水車に連結された下流端部を有する。
【００１４】
本発明の別の実施形態によれば、第１の入口導管及び第２の入口導管は、それぞれ、切換装置の直ぐ上流に設けられた第１の移行導管及び第２の移行導管を有する。
【００１５】
本発明の別の実施形態によれば、入口導管は、互いに略平行に延びている。導管は、互いに比較的近接して配置されるのが好ましい。
【００１６】
本発明の別の実施形態によれば、油圧機械式装置は、入口導管に水を導入するようになっている入口部材を備える。入口部材は、流れ方向に流れが減少する領域を有してもよく、それにより、入口導管に送られる大量の水を回収することができる。入口導管は、切換装置で各上流端部及び各下流端部を有し、入口部材は、入口導管の上流端部に設けられるのが好ましい。
【００１７】
本発明の別の実施形態によれば、油圧機械式装置は、入口導管にさらなる水を導入するため上流端部の下流に配置された少なくとも１つの中間部材を備える。従って、装置は、中間部材から第１の入口導管への通路を開閉する第１の入口バルブ部材と、中間部材から第２の入口導管への通路を開閉する第２の入口バルブ部材とを備えてもよい。第１の水車通路が閉じ、第１の出口通路が開く場合には、第１の入口バルブ部材は通路を開くように配置されるのが好ましい。第２の水車通路が閉じ、第２の出口通路が開く場合には、第２の入口バルブ部材は開いているのが好ましい。
【００１８】
本発明の別の実施形態によれば、バルブ部材の開口は、各第１及び第２のバネ部材により容易化される。さらに、バルブ部材の閉口は、中間部材の上流位置と中間部材の下流位置で各導管を流れる水の差圧により容易化される。
【図面の簡単な説明】
【００１９】
【図１】第１の位置にバルブ装置を備えた本発明の実施形態による油圧機械式装置を概略的に示す。
【図２】第２の位置にバルブ装置を備えた図１の油圧機械式装置を概略的に示す。
【図３】図１における装置の切換装置の概略側面図を示す。
【図４】図３の線Ａ−Ａに沿った断面図を示す。
【図５】図３の線Ｂ−Ｂに沿った断面図を示す。
【図６】図３の線Ｃ−Ｃに沿ったバルブ部材を通る断面図を示す。
【図７】図６の線Ｄ−Ｄに沿った側面図を示す。
【図８】図１における油圧機械式装置の第１の入口導管及び第２の入口導管の一部を上方から見た概略図を示す。
【図９】別の実施形態による中間バルブステーションの概略側面図を示す。
【図１０】別の実施形態による切換装置の下流の概略図を示す。
【図１１】図１０の線Ｘｌ−Ｘｌに沿った切換装置の概略横断面図を示す。
【発明を実施するための形態】
【００２０】
種々の実施形態の説明によって、及び添付されている図面を参照しながら、本発明をさらに詳しく説明する。
【００２１】
図１及び図２は、本発明による油圧機械式装置を概略的に示す。油圧機械式装置は、電力を生成するため流動水中に設けるように配置される。流動水ｗは、例えば、河川、水路、湖などの任意の種類の水流であってよい。油圧機械式装置は、流動水ｗ中に配置され、かつ、種々の流速をもつ流動水のエネルギーを吸収するようになっている。
【００２２】
油圧機械式装置は、第１の水流を送るように配置される第１の入口導管１と、第２の水流を送るように配置される第２の入口導管２とを備える。第１の入口導管１と第２の入口導管２は、流れ方向ｆに対して下流端部と上流端部とを有し、互いに平行に、又は略平行に延びている。さらに、第１の入口導管と第２の入口導管２は、流動水ｗの流れ方向ｆ、即ち、流れ方向ｆと略同一な第１の流れ、第２の流れ、及び流動水ｗの流れに略平行に延びている。第１の入口導管１と第２の入口導管２は、互いに比較的近接して、例えば、第１の入口導管１と第２の入口導管２の間の距離が図８に示す入口導管１、２の直径ｄよりも短く配置されるのが好ましい。直径ｄは、例えば、約０．２、０．４、０．６、１ｍ、又はそれ以上であってもよい。第１の入口導管１と第２の入口導管２は、同一又は略同一の直径と長さを有する。導管１及び導管２の長さは変更可能であるが、例えば、１０、５０、１００、１５０、２００、３００、４００、５００、６００、８００、１０００ｍ、又はそれ以上の長さであるのが好ましい。さらに、導管１、２の長さは、例えば、導管１、２の直径のおよそ５倍であってもよい。
【００２３】
さらに、油圧機械式装置は、入口導管１、２の下流端部の近傍に設けられる切換装置３と、切換装置３の下流に設けられる水車４とを備える。水車４は、水の運動エネルギーを回転機械エネルギーに変換する任意の適当な種類の回転機械であってよい。水車４は、水車４の回転エネルギーを電気エネルギーに変換する発電機６の入力軸に連結されるか或いは入力軸を形成する出力軸５を有する。水車４の安定した回転を達成するために、水車４はフライホイール４’に連結されるか或いはフライホイール４’を備えていてもよい。
【００２４】
切換装置３は、第１の流れと第２の流れが交互に水車４を駆動するように、第１の入口導管１の第１の流れと、第２の入口導管２の第２の流れを交互順に水車４に送るように配置される。さらに、切換装置３は、第１の流れが水車４に送られる際には第２の入口導管２の第２の流れを油圧機械式装置の外に送り、かつ、第２の流れが水車４に送られる際には第１の入口導管１の第１の流れを油圧機械式装置の外に送るように配置される。より詳細には、切換装置３は、油圧機械式装置の外に送られる流れを流動水ｗに直接戻すように配置される。従って、第１及び第２の流れの一方が絶えず水車４を通じて送られ、第１及び第２の流れの他方が絶えず流動水ｗに送り戻される。従って、第１及び第２の流れの一方は、第１及び第２の流れの他方が流動水ｗに送り戻される時間中、水車４を通じて送られる。切換装置３は、時間の長さを調整できるか或いは調整するようになっているのが好ましい。例えば、時間は、数秒のオーダにすることができる。そのような各時間中に、流動水ｗに送り戻される流れは加速されるのに対して、水車４に送られる水は減速される。
【００２５】
図１及び図２に概略的に示した切換装置３は、第１の入口導管１から水車４に延びている第１の水車通路１１と、第２の入口導管２から水車４に延びている第２の水車通路１２と、第１の入口導管１から油圧機械式装置の外に延びている第１の出口通路２１と、第２の入口導管２から油圧機械式装置の外に延びている第２の出口通路２２とを備える。
【００２６】
さらに、切換装置３はバルブ装置１５を備える。図１及び図２において、バルブ装置１５は、４つのバルブ部材１１’、１２’、２１’、及び２２’で示される。バルブ装置１５は、第１の位置と第２の位置を交互にとるように配置される。第１の位置は図１に示しているのに対して、第２の位置は図２に示している。第１の位置では、バルブ装置１５は、第１の水車通路１１を開け、第２の水車通路１２を閉じ、第１の出口通路２１を閉じ、第２の出口通路２２を開けたまま維持する。従って、第１の位置では、第１の入口導管１からの第１の流れは第１の水車通路１１を通じて水車４に送られるのに対して、第２の入口導管２の第２の流れは油圧機械式装置の外に送られて流動水ｗに戻る。第２の位置では、バルブ装置１５は、第１の水車通路１１を閉じ、第２の水車通路１２を開け、第１の出口通路２１を開け、第２の出口通路２２を閉じたまま維持する。従って、第２の位置では、第２の入口導管２の第２の流れは第２の水車通路１２を通じて水車４に送られるのに対して、第１の入口導管１の第１の流れは、油圧機械式装置の外に送られて流動水ｗに戻る。
【００２７】
図１及び図２に示すバルブ装置１５及びバルブ部材１１’、１２’、２１’、及び２２’は、例えば、円板バルブなどの任意の適当な種類であってよい。図３〜図７は、好適な実施形態の一例として示す別のデザインのバルブ装置１５を備えた切換装置３を示す。切換装置３は、流れ方向ｆに略平行な長手方向中心軸ｘを有し、切換装置３とバルブ装置１５を適切に囲むハウジング３０を備える。ハウジング３０は、第１の入口導管１と第２の入口導管２の下流端部をも囲む。ハウジング３０は、隔壁３３により第１の部分３１と第２の部分３２に分割される。
【００２８】
水車通路１１、１２及び出口通路２１、２２の各々は、図４に示す上流オリフィスを有する。上流オリフィスは、流れ方向に略垂直な共通面に配置されている。図４及び図５から分かるように、切換装置３は、複数の第１の水車通路１１、第１の出口通路２１、第２の水車通路１２、及び第２の出口通路２２を備える。バルブ装置１５は、オリフィスの共通面に平行に移動可能なバルブ部材３５を備える。バルブ装置１５は、バルブ部材３５を作動させるようになっているモータ部材３６をも備える。モータ部材３６は、往復運動により長手方向軸ｘの周りにバルブ部材３５を回転させるようになっている。バルブ部材３５は、交互に位置した通路３７と壁部材３８とを備える円板として設計される。
【００２９】
第１の入口導管１と第２の入口導管２の前述の下流端部は、第１の入口導管１の第１の移行導管４１と、第２の入口導管２の第２の移行導管４２とを形成する。従って、第１の移行導管４１と第２の移行導管４２は、切換装置３の直ぐ上流に、より詳細には、バルブ部材３５の直ぐ上流に設けられる。移行導管４１及び４２は、長手方向中心軸ｘに同心円状である第１の円錐台形部材３３と、バルブ部材３５に配置され、バルブ部材３５の上流側壁から流れ方向ｆの反対方向に先細の楔状部材４４とによって形成される。
【００３０】
バルブ部材３５と前述のオリフィスの下流で、ハウジング３０は、流れ方向ｆに先細の直径を有する。出口通路２１及び２２は、中心軸ｘに略平行な底壁４７により画定される。
【００３１】
図１から分かるように、第１の入口導管１と第２の入口導管２は、入口導管１及び２の上流端部に設けられた入口部材５０を有する。開示されている実施形態では、入口部材５０は、流れ方向ｆに先細の流れ領域を有する漏斗５０の形状を有し、これにより、入口導管１及び２に導入される大量の水を送るようになっている。さらに、油圧機械式装置は、第１の入口導管１と第２の入口導管２に水を導入する入口導管１、２の上流端部の下流に配置された漏斗形状の中間部材５１を１つ、２つ、３つ、４つ、又はそれ以上備えてもよい。部材５０及び／又は中間部材５１は、調整可能であってもよく、即ち、先細の流れ領域の度合いは調整することができる。開示されている実施形態では、部材５０、５１は、流れ方向ｆに角度αで先細の漏斗を備えており、角度αは、任意の適当な調整部材（開示していない）で調整することができる。
【００３２】
さらに、油圧機械式装置は、図８に示すように、中間部材５１から第１の入口導管１への通路を開閉する第１の入口バルブ部材６１と、中間部材５１から第２の入口導管２への通路を開閉する第２の入口バルブ部材６２とを備える。そのようなバルブ部材６１、６２は、各中間部材５１に設けることができる。バルブ部材６１、６２は、各第１及び第２のバネ部材７１、７２により容易に開口される。バルブ部材６１、６２は、中間部材５１の上流位置及び中間部材５１の下流位置で各導管１、２を通って流れる水の差圧により容易に閉口される。各導管１、２を通って流れる水の圧力は、シリンダ部材８１、８２に伝達され、ピストン８３、８４が差圧に応答して、バルブ部材６１、６２を作動させる。バネ部材７１、７２は、ピストン８３、８４に作用するシリンダに設けられる。バルブ部材６１、６２の動作は、第１の水車通路１１が開いた際に第１の入口導管１のバルブ部材６１は閉じ、水車通路１２が開いた際に第２の入口導管２のバルブ部材６２は閉じるように、バルブ装置１５の動作と関連付けられるのが好ましい。さらに、出口通路２１が開いた際にバルブ部材６１は開き、出口通路２２が開いた際にバルブ部材６２は開く。
【００３３】
図９は、別の実施形態による中間部材９０を示す。中間部材９０は、入口導管の１つ又は全てに、開示されている実施形態では、第１の入口導管１に取り付けられている。中間部材９０は、第１の入口導管１の上流端部に設けられる。中間部材９０は、中間部材９０を貫通している上流導管１’に連結される。中間部材９０は、第１のバルブ要素９１と第２のバルブ要素９２とを備え、これらは、切換装置３の動作と同期している。図９では、第１のバルブ要素９１は開き、第２のバルブ要素９２は閉じている。従って、上流導管１’を通って流れる水は、中間部材９０を通過して、流動水に戻される。バルブ要素９１及び９２は、バルブ部材２１’が開いている、即ち、第１の入口導管１の水が水車４に送られない場合の位置を示している。バルブ部材２１’が閉じ、バルブ部材１１’が開いている場合、即ち、流動水が水車４に送られる場合、第１のバルブ要素９１は閉じ、第２のバルブ要素９２は開いている。次いで、上流導管１’を通って流れる水は、第１の入口導管１に送られ、水車４への水の速度回復に寄与する。
【００３４】
図１０及び図１１は、４つの入口導管１０１、１０２、１０３、及び１０４を備える別の実施形態を示す。切換装置３は、図３〜図７の切換装置３の構成とは異なる構成を有している。切換装置３は、固定部１０５と、モータ部材（開示していない）により回転可能な回転部１０６とを備えている。各入口導管１０１〜１０４は、固定部１０５に連結され、固定部１０５を貫通している。回転部１０６は、水車入口導管１１５を備えるか又は水車入口導管１１５に連結される。水車入口導管１１５は、入口導管１０１〜１０４の１つと位置合わせされる回転部１０６と一緒に長手方向軸ｘの周りで回転可能である、即ち、水車入口導管１１５の上流端部は、入口導管１０１〜１０４の１つと位置合わせさせることができる。水車入口導管１１５は、水車４に連結される下流端部を有する。回転部１０６は、入口導管１０１〜１０４の１つと位置合わせされた水車入口導管１１５を支持し、尚且つ同時に、入口導管１０１〜１０４を通って流れる水を流動水に還流できるように残りの入口導管１０１〜１０４を開いたままにする構成を有する。従って、図１０及び図１１に示す位置において、第１の入口導管１０１は水車入口導管１１５を介して水車４に連結されるのに対して、入口導管１０２〜１０３は流動水に戻る。第１の導管１０１を通って流れる水の速度がある設定値まで減少した場合、回転部１０６は、第２の入口導管１０２が水車入口導管１１５と位置合わせされ、これにより水車４に送られるようにある角距離に回転させる。回転部は、入口導管１０１〜１０４を第１の通路１１１と移行導管１１５に交互かつ連続的に連結するよう回転させることができる。図１０及び図１１に示す切換装置３は、例えば、２本、３本、５本、６本、又はそれ以上の別の数の入口導管とともに使用できることに留意されたい。入口導管１０１〜１０５は、本出願で前述した入口導管として構成してもよい。
【００３５】
本発明は開示された実施形態に限定されるものでなく、前述の請求の範囲内で変更および修正され得るものである。
【図１】
2009543975.tif 000003
【図２】
2009543975.tif 000004
【図３】
2009543975.tif 000005
【図４】
2009543975.tif 000006
【図５】
2009543975.tif 000007
【図６】
2009543975.tif 000008
【図７】
2009543975.tif 000009
【図８】
2009543975.tif 000010
【図９】
2009543975.tif 000011
【図１０】
2009543975.tif 000012
【図１１】
2009543975.tif 000013
【国際調査報告】
2009543975.tif 000014
2009543975.tif 000015
2009543975.tif 000016